(57)【特許請求の範囲】
【請求項１】
前面に扉を有する複数個のキャビネットを横並びに連結して設置し、これらキャビネット上に跨ってトップカウンターを載置してなるシステムキッチンであって、上記扉とトップカウンターの隙間又は扉同士の隙間を隠すカバー材を複数のキャビネットに跨って設け、上記キャビネットの側板には上記カバー材をその弾性力で着脱可能に嵌合するための凹部が設けられていることを特徴とするシステムキッチン。
【発明の詳細な説明】
【技術分野】
【０００１】
本発明は、システムキッチンに係り、特にキャビネット前面の扉とトップカウンターとの隙間又は扉同士の隙間を隠し且つ施工性及び意匠性を向上させる技術に関するものである。
【背景技術】
【０００２】
システムキッチンは、前面に扉を有する複数個のキャビネットを横並びに連結して設置し、これらキャビネット上に跨ってトップカウンターを載置して構成されている（例えば特許文献１参照）。このようなシステムキッチンにおいては、扉とトップカウンターとの間や扉同士の間に隙間が発生する場合がある。
【０００３】
このような隙間が発生した場合の対処の仕方としては、隙間をそのままにしておく方法と、例えば隙間をカバー材で隠す方法とが考えられる。隙間をカバー材で隠す方法としては、例えば、各キャビネットの両側板間にカバー材を取付ける方法が考えられ、この場合、例えばカバー材の裏面両端にＬ形状の取付金具を取付け、該取付金具をキャビネットの側板にネジ等の固着具で固定する取付構造が考えられる。
【０００４】
【特許文献１】特開２００４−２９０５０７号公報
【発明の開示】
【発明が解決しようとする課題】
【０００５】
しかしながら、上記システムキッチンにおいて、上記隙間をそのままにしておく方法では、意匠性（見栄え）が悪いという問題がある。一方、隙間をカバー材で覆う方法にあっては、各キャビネットの両側板間にカバー材を取付けるために、カバー材の裏面両端にＬ形状の取付金具を取付け、該取付金具をキャビネットの側板にネジ等の固着具で固定する必要があり、且つこのような作業をキャビネット毎に行わなければならないので、施工に多くの手間がかかるだけでなく、部品点数や施工工数の増大による構造や施工工程の煩雑化及びコストの増大を招く問題がある。
【０００６】
本発明は、上記事情を考慮してなされたものであり、キャビネットの前面の扉とトップカウンターとの隙間又は扉同士の隙間を簡単且つ容易に隠すことができ、意匠性及び施工性の向上並びにコストの低減が図れるシステムキッチンを提供することを目的とする。
【課題を解決するための手段】
【０００７】
本発明は、前面に扉を有する複数個のキャビネットを横並びに連結して設置し、これらキャビネット上に跨ってトップカウンターを載置してなるシステムキッチンであって、上記扉とトップカウンターの隙間又は扉同士の隙間を隠すカバー材を複数のキャビネットに跨って設け、上記キャビネットの側板には上記カバー材をその弾性力で着脱可能に嵌合するための凹部が設けられていることを特徴とする。
【発明の効果】
【０００８】
本発明によれば、前面に扉を有する複数個のキャビネットを横並びに連結して設置し、これらキャビネット上に跨ってトップカウンターを載置してなるシステムキッチンであって、上記扉とトップカウンターの隙間又は扉同士の隙間を隠すカバー材を複数のキャビネットに跨って設け、上記キャビネットの側板には上記カバー材をその弾性力で着脱可能に嵌合するための凹部が設けられているため、キャビネットの前面の扉とトップカウンターとの隙間又は扉同士の隙間を簡単且つ容易に隠すことができ、意匠性及び施工性の向上並びにコストの低減が図れる。特に、複数個のキャビネットに跨ってカバー材が横通しに連続しているため、意匠性が高く、高級感のあるシステムキッチンが得られる。
【発明を実施するための最良の形態】
【０００９】
以下に、本発明を実施するための最良の形態を添付図面に基いて詳述する。
【００１０】
図１、図６ないし図７に示すように、本実施の形態のシステムキッチン１は、複数個例えば少なくとも３個のキャビネット２ａ，２ｂ，２ｃを横並びに連結して設置し、これらキャビネット２ａ，２ｂ，２ｃ上に跨ってトップカウンター４を載置して構成されている。好ましくは、両端に位置するキャビネット２ｂ，２ｃの外側面にサイドパネル３，３を固定し、両サイドパネル３，３を含むキャビネット２ａ，２ｂ，２ｃ上にトップカウンター４を載置し、該トップカウンター４は両端のキャビネット２ｂ，２ｃよりも上方に突出した両サイドパネル３，３の突出部間に介在される前縁部材５を有する構成とされている。
【００１１】
各キャビネット２ａ，２ｂ，２ｃは、図２〜図５に示すように、左右両側に配置された側板６，６と、両側板６，６の下端部間に設けられた底板７と、両側板６，６の後端部間に設けられた背板８と、両側板６，６の前端上部間に設けられた横連結材９とから主に構成されている。中央のキャビネット２ａには、上段、中段及び下段に引き出し状の収納部１０ａ，１０ｂ，１０ｃを備えている。右端のキャビネット２ｃは、上段にシンク（流し台）１１を収容する収容部１２ａを備え、中段及び下段に引き出し状の収納部（図示省略）を備えている。左端のキャビネット２ｂは、上段に加熱調理器例えばガス台１３を収容する収容部１４ａを備え、中段及び下段に引き出し状の収納部（図示省略）を備えている。
【００１２】
上記側板６、底板７、背板８、連結部材９は、例えばアルミニウム合金の押出形材からなっている。この場合、側板６、底板７、背板８は、それぞれ複数に分割されていてもよい。側板６は前後方向に複数例えば２つに分割され、底板７は前後方向に複数例えば２つに分割され、背板８は上下方向に複数例えば２つに分割されている。なお、底板７の後縁部と背板８の下縁部との間には断面逆Ｌ字状の連結板１５が連結されている。背板８には点検口１６が設けられている。この場合、背板８を上下に２分割し、上背板８ａと下背板８ｂを上下に離して配置することにより点検口１６が形成されている。
【００１３】
図９（ａ）〜（ｄ）に示すように、この点検口１６には点検口パネル１７が内側からけんどん式に着脱可能に取付けられている。点検口パネル１７の上端部と下端部とをけんどん式に挿入するために、上背板８ａの下縁部には断面略逆Ｕ字状の溝１８ａが形成され、下背板８ｂの上縁部には断面略Ｕ字状の溝１８ｂが形成されている。側板６においては、図８に示すように２つに分割された側板構成部材６ａ，６ｂを互いに接続するために、断面Ｃ字状の凹部１９ａと断面Ｔ字状の凸部１９ｂとを長手方向から嵌合させる継ぎ手構造が採用されている。
【００１４】
上記各収納部１０ａ，１０ｂ，１０ｃの前面部は、キャビネット２ａ，２ｂ，２ｃの前面開口部を閉塞する扉１０ａｄ，１０ｂｄ，１０ｃｄ，１２ｂｄ，１２ｃｄ，１４ｂｄ，１４ｃｄになっている。上段収納部１０ａの扉１０ａｄの下縁部、中段収納部１０ｂ，１２ｂ，１４ｂの扉１０ｂｄ，１２ｂｄ，１４ｂｄの上縁部及び下段収納部１０ｃ，１２ｃ，１４ｃの扉１０ｃｄ，１２ｃｄ，１４ｃｄの上縁部には、それぞれ把手２０ａ，２０ｂ，２０ｃが設けられている。両端のキャビネット２ｂ，２ｃの上段部前面には扉１０ａｄとデザインを合せるために同材質の化粧板１２ａｘ，１４ａｘが取付けられている。上記トップカウンター４には、シンク１１が工場生産時に予め取付けられており、ガス台１３はトップカウンター４の施工後に設置される。
【００１５】
前縁部材５は、工場生産時に予め接着剤等によりトップカウンター４の前縁下面部に接合されている。この前縁部材５の全長と両端のサイドパネル３，３間の内寸法は、一致させなければならない。この場合、前縁部材５の全長よりも複数のキャビネット２ａ，２ｂ，２ｃの連結後の全長の方が若干短めに設計されているため、両端のキャビネット２ｂ，２ｃを中央のキャビネット２ａ側に寄せると両端のキャビネット２ｂ，２ｃとサイドパネル３との間に隙間が発生して意匠性が悪くなる。このため、両端のキャビネット２ｂ，２ｃは、図６に示すように両端のサイドパネル３側に寄せて設置されている。
【００１６】
具体的には、両端に配置されるキャビネット２ｂ，２ｃの外側面にサイドパネル３，３が固定されている。これにより、両端のキャビネット２ｂ，２ｃとサイドパネル３との間には隙間が形成されないが、両端のキャビネット２ｂ，２ｃと中央のキャビネット２ａとの間には隙間ｓが発生する場合がある。そこで、上記隙間ｓを隠すために、隣り合うキャビネット２ａ，２ｂ又は２ａ，２ｃの側板６，６の前縁部６ｅ，６ｅ間には隙間隠し部材２３が設けられている。
【００１７】
側板６の前端部は、図８に示すように断面略Ｌ字状に形成されている。上記側板構成部材６ａは、前端部、中間部及び後端部に外側方に直角に突出したフランジ状の前縁部６ｅ，中間縁部６ｆ，後縁部６ｇが形成されており、左右に隣り合う側板構成部材６ａ，６ａにおいては、これら縁部６ｅ，６ｆ，６ｇ同士が対向している。上記隣り合うキャビネットの側板６の前縁部６ｅ，６ｅ間に隙間隠し部材２３が取付けられている。この隙間隠し部材２３は、断面略工状に形成されている。すなわち、この隙間隠し部材２３は、対向する前縁部６ｅ，６ｅの前面に跨って配置される前面覆い部２３ａと、同前縁部６ｅ，６ｅの後面に跨って配置される後面覆い部２３ｂと、これら前面覆い部２３ａと後面覆い部２３ｂとをつなぐつなぎ部２３ｃとを有している。つなぎ部２３ｃが、隣り合う前縁部６ｅ，６ｅ間の隙間ｓにその長手方向から挿入されている。
【００１８】
上記隙間隠し部材２３は、例えば金属製の側板と略同色の樹脂により形成されていることが好ましい。なお、図８に示すように側板６の前端部には扉（例えば１０ｂｄ）との間を封止するパッキン２４が取付けられている。隣り合うキャビネット２ａ，２ｂの扉１０ｂｄ，１４ｂｄ間には隙間Ｓａが存在しているが、この隙間Ｓａからは隙間隠し部材２３が見えるだけであり、扉（例えば１０ｂｄ）を開けた場合、側板６の前端部が露出するが、隙間ｓが側板と同色の隙間隠し部材２３で覆われているため、隙間ｓが露出することが無く、また隙間隠し部材２３の存在も分からず、意匠性の向上が図れる。
【００１９】
上述したように上段収納部１０ａの扉１０ａｄの下縁部の裏側と、中段収納部１０ｂ，１２ｂ，１４ｂの扉１０ｂｄ，１２ｂｄ，１４ｂｄの上縁部の裏側とが、それぞれ把手２０ａ，２０ｂとされており、扉１０ａｄの下縁部と扉１０ｂｄの上縁部との間には手先を挿入して把手２０ａ又は２０ｂに引っ掛けるための隙間Ｓｂが設けられている。同様に、上段の化粧板１２ａｘ，１４ａｘの下縁部と中段の扉１２ｂｄ，１４ｂｄの上縁部との間にも、手先を挿入して把手２０ｂに引っ掛けるための隙間Ｓｂが設けられている。この隙間Ｓｂを隠すために、すなわちこの隙間Ｓｂから内部が見えないように隙間を裏側から隠す（覆う）ために、カバー材２１が複数のキャビネット２ａ，２ｂ，２ｃに跨って設けられている。
【００２０】
図１０に示すように上記把手２０ａ，２０ｂは、上段扉１０ａｄの下縁部と中段扉１０ｂｄの上縁部のそれぞれの裏側を凹曲面（断面円弧状）に加工することにより形成されている。そして、上記カバー材２１は、上下の把手２０ａ，２０ｂの凹曲面と連続する一つの凹曲面を有する深さ（奥行き）の浅い断面略Ｃ字状ないし断面弓形状に形成されている。このカバー材２１は全てのキャビネット２ａ〜２ｃに跨って横通しに横架されるよう左右方向に長尺に形成されている。このカバー材２１は全てのキャビネット２ａ〜２ｃの側板６を貫通するようにして両端のサイドパネル３，３間に介在されている。この場合、カバー材２１の端部とサイドパネル３との間に隙間を発生させないために、カバー材２１の長さと両端のサイドパネル３，３間の内寸法とは、同一寸法とされていることが好ましい。
【００２１】
上記カバー材２１の取付けを容易にするために、上記キャビネット２ａ〜２ｃの側板６には上記カバー材２１をその弾性力で着脱可能に嵌合するための凹部（切欠部）２２が設けられている。本実施の形態では、カバー材２１の上縁部と下縁部とには後方に突出した板状のリブ２１ａ，２１ｂが互いに平行に長手方向に沿って連続して形成されており、上下のリブ２１ａ，２１ｂが上記凹部２２の上面と下面に面接触した状態で凹部２２にカバー材２１が嵌合するようになっている。
【００２２】
また、上下のリブ２１ａ，２１ｂの外面には後部側に掛止部２５が形成されており、凹部２２の上面と下面の対応する位置にはカバー材２１を凹部２２に押し込んでカバー材２１全体が凹部２２に収まった時に掛止部（引掛け部）２５が掛止される掛止受部２６が溝状に形成されている。また、カバー材２１の上縁部と下縁部には扉１０ａｄ，１０ｂｄ，１２ｂｄ，１４ｂｄ又は化粧材１２ａｘ，１４ａｘとの間を封止するための軟質樹脂製の封止部材（図示省略）を取付ける取付溝２７が形成されている。このように形成されたカバー材２１は、例えばアルミニウムの押出形材からなっていて、金属性の光沢を有していることが意匠的にも好ましい。
【００２３】
次に、上記システムキッチン１の組立方法について説明する。先ず、室内の所定位置に少なくとも３個のキャビネット２ａ，２ｂ，２ｃを横並びで設置し、両端に位置するキャビネット２ｂ，２ｃの外側面にサイドパネル３，３をそれぞれ固定する。次に、これらキャビネット２ａ，２ｂ，２ｃを連結具（連結ボルト）で仮連結する。この仮連結の際に、隣り合うキャビネット２ａ，２ｂ及び２ａ，２ｃの側板６，６の前端縁部６ｅ，６ｅ間に上記隙間隠し部材２３を隙間ｓに沿って挿入することにより取付ける。
【００２４】
次に、前縁部材５を一体的に有するトップカウンター４を両端のサイドパネル３，３を含むキャビネット２ａ，２ｂ，２ｃ上に載置し、位置出し後、全てを本連結すればよい。そして、各キャビネットの側板の凹部に対してカバー材を全てのキャビネットに跨る状態で嵌合させて取付ければよい。
【００２５】
このように複数のキャビネット２ａ，２ｂ，２ｃを横並びに連結して設置し、両端に位置するキャビネット２ｂ，２ｃの外側面にサイドパネル３，３を固定し、両サイドパネル３，３を含むキャビネット２ａ，２ｂ，２ｃ上にトップカウンター４を載置し、該トップカウンター４は両端のキャビネット２ｂ，２ｃよりも上方に突出した両サイドパネル３，３の突出部間に介在される前縁部材５を有するシステムキッチン１であって、両端のキャビネット２ｂ，２ｃと中間のキャビネット２ａとの間に生じる隙間ｓを隠すために、隣り合うキャビネット２ａ，２ｂ又は２ａ，２ｃの側板６，６の前縁部６ｅ，６ｅ間に隙間隠し部材２３を設けているため、キャビネット２ａ，２ｂ又は２ａ，２ｃ間の隙間ｓを簡単に塞ぐことができ意匠性及び施工性の向上が図れる。
【００２６】
上記隙間隠し部材２３は、断面略工状に形成されているため、隙間ｓへの取付けが容易にできると共に、隙間ｓの大きさに係わらずその隙間ｓを確実且つ容易に覆い隠すことができる。また、隙間隠し部材２３は、その形状からも分かるように構造が簡単であり、製造も容易でコストの低減が図れる。
【００２７】
特に、上記システムキッチン１においては、前面に扉を有する複数個のキャビネット２ａ〜２ｃを横並びに連結して設置し、これらキャビネット２ａ〜２ｃ上に跨ってトップカウンター４を載置し、上記扉同士（扉と化粧材を含む）の隙間Ｓｂを隠すカバー材２１を複数のキャビネット２ａ〜２ｃに跨って設け、上記キャビネット２ａ〜２ｃの側板６には上記カバー材２１をその弾性力で着脱可能に嵌合するための凹部２２が設けられているため、キャビネット２ａ〜２ｃの前面における扉１２ａｄ，１２ｂｄ同士の隙間（扉１２ｂｄ，１４ｂｄと化粧材１２ａｘ，１４ａｘの隙間を含む）を簡単且つ容易に隠すことができ、意匠性及び施工性の向上並びにコストの低減が図れる。
【００２８】
すなわち、カバー材２１は、システムキッチン１の施工時にキャビネット２ａ〜２ｃの側板６の凹部２２への嵌め込みにより簡単且つ容易に取付けることができ、Ｌ字状の取付金具やネジ等の固着具を一切必要としないため、部品点数や施工工数を大幅に削減でき、構造や施工工程の簡素化、施工性の向上及びコストの低減が図れる。特に、複数個のキャビネット２ａ〜２ｃに跨って単一のカバー材２１が横通しに連続して取付けられるため、意匠性の更なる向上が図れ、高級感のあるシステムキッチンが得られる。
【００２９】
図１１は本発明の他の実施の形態を示す要部拡大断面図である。図１１の形態において前記実施の形態と同一部分は同一参照符号を付して説明を省略する。図１１の形態においては、カバー材２１を取付けるためにキャビネット２ａ〜２ｃの側板６に形成された凹部（切欠部）２２が断面鳩尾形状の溝状に形成されており、該凹部２２の傾斜した上面と下面に当接すべくこれらの傾斜に対応してカバー材２１の上下のリブ２１ａ，２１ｂが末広がり状に傾斜して設けられている。本実施の形態のカバー材２１も、前記実施の形態と同様にカバー材２１を複数個のキャビネット２ａ〜２ｃの側板６に跨って簡単且つ容易に取付けることができ、施工性・意匠性の向上及びコストの低減が図れる。
【００３０】
図１２はカバー材の他の取付構造を説明する断面図である。図１２（ａ），（ｂ）の実施の形態において前記実施の形態と同一部分は同一参照符号を付して説明を省略する。本実施の形態では、キャビネットの側板６と扉１０ａｄ，１０ｂｄの間にスぺーサ２８，２９を設け、該スぺーサ２８，２９の端部にカバー材２１の上下のリブ２１ａ，２１ｂを引っ掛けるようにしている。すなわち、図１２（ａ）の形態では、側板６の前端部に上下一対のスぺーサ２８を設け、該スぺーサ２８の端部間と側板６によって凹部２２が形成されている。スぺーサ２８の端部が凹部２２の上面と下面を形成し、側板６が凹部２２の底面を形成している。図１２（ｂ）の形態では、中空部２９ａを有するスぺーサ２９が用いられ、カバー材２１のリブ２１ａ，２１ｂにはスぺーサ２９の端部の中空部２９ａに掛止される掛止部２５が形成されている。従って、スぺーサ２９の端部は傾斜切断ではなく、直角切断であってもよい。本実施の形態のカバー材２１も、前記実施の形態と同様にカバー材２１を複数個のキャビネット２ａ〜２ｃの側板６に跨って簡単且つ容易に取付けることができ、施工性・意匠性の向上及びコストの低減が図れる。
【００３１】
以上、本発明の実施の形態を図面により詳述してきたが、本発明は前記実施の形態に限定されるものではなく、本発明の要旨を逸脱しない範囲での種々の設計変更が可能である。例えば、カバー材２１は、樹脂の押出形材からなっていてもよく、或いは金属板を曲げ加工してなっていてもよく、或いは木や樹脂を掘り込み加工してなっていてもよい。扉１０ａｄ又は化粧板１２ａｘ、１４ａｘとトップカウンター４の隙間には、前縁部材５や連結部材９の代りに、カバー材２１を設けるようにしてもよい。
【図面の簡単な説明】
【００３２】
【図１】本発明の実施の形態であるシステムキッチンを概略的に示す斜視図である。
【図２】同システムキッチンの一部省略分解斜視図である。
【図３】同システムキッチンの一部省略分解正面図である。
【図４】中間のキャビネットの側面断面図である。
【図５】中間のキャビネットの平面断面図である。
【図６】システムキッチンの概略的正面図である。
【図７】図６のＡ部拡大図である。
【図８】図６のＢ−Ｂ線断面図である。
【図９】キャビネット背面部の点検口パネルの装着方法を説明する図である。
【図１０】図４のＣ部拡大断面図である。
【図１１】本発明の他の実施の形態を示す要部拡大断面図である。
【図１２】カバー材の他の取付構造を説明する断面図である。
【符号の説明】
【００３３】
１  システムキッチン
２ａ，２ｂ，２ｃ  キャビネット
４  トップカウンター
６  側板
Ｓｂ  隙間
２１  カバー材
２２  凹部
【図１】
0004796438.tif 000002
【図２】
0004796438.tif 000003
【図３】
0004796438.tif 000004
【図４】
0004796438.tif 000005
【図５】
0004796438.tif 000006
【図６】
0004796438.tif 000007
【図７】
0004796438.tif 000008
【図８】
0004796438.tif 000009
【図９】
0004796438.tif 000010
【図１０】
0004796438.tif 000011
【図１１】
0004796438.tif 000012
【図１２】
0004796438.tif 000013